【手続補正書】
【提出日】平成16年12月13日(2004.12.13)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  ホース手元操作部に掃除機本体内に内蔵された吸引のための電動送風機および、回転ブラシの運転を制御する操作部を有し、また前記掃除機本体内に前記電動送風機およびその近傍の温度を検出する温度検出手段を配設すると共に、前記電動送風機の電力を制御する制御手段とを備えた構成において、前記ホース手元操作部への電源供給を行う電源供給手段を設け、前記温度検出手段で検出された温度が所定温度になった場合に、前記電動送風機の運転を停止させると共に、前記電源供給手段により前記ホース手元操作部への電源の供給を停止させるよう前記制御手段により制御する電気掃除機。
【請求項２】  電源供給手段として双方向性サイリスタを用いたことを特徴とする請求項１記載の電気掃除機。
【請求項３】  温度検出手段で検出された温度が所定温度になった場合に、電動送風機の運転の停止および、電源供給手段によるホース手元操作部への電源の供給を停止させた後、所定温度で前記電源供給手段によって前記ホース手元操作部への電源の供給を開始するよう制御することを特徴とする請求項１または２記載の電気掃除機。
【請求項４】  温度検出手段で検出された温度が所定温度になった場合に、所定時間だけ電源供給手段によるホース手元操作部への電源の供給を停止するよう制御することを特徴とする請求項１または２記載の電気掃除機。
【請求項５】  電動送風機およびホース手元操作部への電源の供給を停止させていることを報知する表示手段を設けたことを特徴とする請求項１〜４のいずれか１項記載の電気掃除機。
【請求項６】  温度検出手段によって検出された温度によって電動送風機の運転が停止していない場合の通常の停止状態において、電源供給手段によるホース手元操作部への電源供給を、所定電圧だけ供給するよう制御することを特徴とする請求項１〜５のいずれか１項記載の電気掃除機。
【発明の詳細な説明】
【０００１】
【発明の属する技術分野】
本発明は、電動送風機の温度過昇防止機能および停止時の待機電力軽減機能を有する電気掃除機に関するものである。
【０００２】
【従来の技術】
従来のこの種の電気掃除機について、図７および図８を用いて説明する。
図７および図８において、１は掃除機本体であり、２は掃除機本体１内部に設けられ、吸引力を発生させる電動送風機である。３は電動送風機２の位相制御および回転ブラシ（図示せず）の運転制御を行うモータ制御手段である。４は使用者が任意に吸引力の強弱設定および回転ブラシの運転を行うためのパワー設定手段であり、この設定によりモータ制御手段３の位相制御量を設定する。５は掃除機本体１内の吸気側の圧力を検知する圧力センサであり、６はこの圧力センサ５が検知した圧力値から吸引されている風量を判断する風量判断手段である。７は風量判断手段６がある一定の設定風量以下と判断した場合に、電動送風機２への供給電力を制限するようにモータ制御手段３に信号を出力する電力制限処理手段である。
【０００３】
上記構成による作用は以下の通りである。
【０００４】
パワー設定手段４によって設定された値に従って、モータ制御手段３は一定の位相制御量で電動送風機２に電力を供給すると共に、回転ブラシの運転を制御する。これにより電動送風機２と回転ブラシは運転され、吸引力が発生し掃除機本体１内にゴミが吸引される。この時、この吸引によって発生する真空圧を圧力センサ５が検知し、その値から風量判断手段６が風量を判断する。掃除機本体１内にゴミが蓄積され、一定量以上になったり、吸引経路の一部が塞がれた場合に、風量判断手段６は風量の低下を判断し、電動送風機２の加熱が非常に高くなるポイントである風量を下回れば、電力制限処理手段７は位相制御量を大きくするようにモータ制御手段３に信号を出し、電動送風機２への供給電力を小さくすることで、電動送風機２の温度過昇を防止し、同時に回転ブラシの運転を停止させる。
【０００５】
また、電動送風機２の異常温度上昇を防止する別の方法として、バネを有するエアープロテクタ（図示せず）を用い、ある真空圧以上でバネの付勢力に抗して吸気経路内に外気を取り入れるように弁を開き外気を吸引して電動送風機２の温度過昇を防止するというものもある。
【０００６】
【発明が解決しようとする課題】
しかしながら上記のような構成の従来の電気掃除機では、風量判断に圧力センサを用いている場合には、これが故障した際に制御できずに電動送風機の加熱を招き、電動送風機の寿命低下或いは掃除機本体の熱変形による性能低下を引き起こしてしまうという問題があり、その上、電動送風機および掃除機本体の振動による圧力センサの故障が多かった。また、バネ式のエアープロテクタの場合には、即動式であるため、一つのパワー設定、例えば「強」モードで設定された場合に、別の異なるパワー設定、例えば「弱」モードではバネが動作せず、電動送風機の加熱を防止したいときに機能が作動しないという課題があった。更には、回転ブラシの運転制御をホース手元部にて直接制御しているものにあっては、電動送風機の異常状態に関係なく回転ブラシのみが運転しているという使用性上の問題を有していた。
【０００７】
本発明は、上記のような従来の課題を解決するものであって、電動送風機およびその周辺の異常温度を検出し、電動送風機を停止させると共に手元操作部で回転ブラシを制御する制御手段への電源の供給をも停止するように制御して使用性の良い電気掃除機を提供することを目的としている。
【０００８】
【課題を解決するための手段】
本発明は上記目的を達成するために、ホース手元操作部に掃除機本体内に内蔵された吸引のための電動送風機および、回転ブラシの運転を制御する操作部を有し、また前記掃除機本体内に前記電動送風機およびその近傍の温度を検出する温度検出手段を配設すると共に、前記電動送風機の電力を制御する制御手段とを備えた構成において、前記ホース手元操作部への電源供給を行う電源供給手段を設け、前記温度検出手段で検出された温度が所定温度になった場合に、前記電動送風機の運転を停止させると共に、前記電源供給手段により前記ホース手元操作部への電源の供給を停止させるよう制御することを課題解決手段とし、電動送風機の急激な加熱を抑えることができ、電動送風機のブラシの耐久性を高めて寿命の低下を防止することを精度良く確実に行うことができると共に、ホース手元操作部への電源の供給を停止させることで、電動送風機停止時の待機電力を軽減することができる。
【０００９】
【発明の実施の形態】
本発明の請求項１記載の発明は、ホース手元操作部に掃除機本体内に内蔵された吸引のための電動送風機および、回転ブラシの運転を制御する操作部を有し、また前記掃除機本体内に前記電動送風機およびその近傍の温度を検出する温度検出手段を配設すると共に、前記電動送風機の電力を制御する制御手段とを備えた構成において、前記ホース手元操作部への電源供給を行う電源供給手段を設け、前記温度検出手段で検出された温度が所定温度になった場合に、前記電動送風機の運転を停止させると共に、前記電源供給手段により前記ホース手元操作部への電源の供給を停止させるよう制御することを課題解決手段とし、電動送風機の急激な加熱を抑えることができ、電動送風機のブラシの耐久性を高めて寿命の低下を防止することを精度良く確実に行うことができると共に、ホース手元操作部への電源の供給を停止させることで、電動送風機停止時の待機電力を軽減することができる。
【００１０】
本発明の請求項２記載の発明は、電源供給手段として双方向性サイリスタを用いることを課題解決手段とし、電動送風機の急激な加熱を抑えることができ、電動送風機のブラシの耐久性を高めて寿命の低下を防止することを精度良く確実に行うことができると共に、ホース手元操作部への電源の供給を安価で確実に停止させることで、電動送風機停止時の待機電力を軽減することができる。
【００１１】
本発明の請求項３記載の発明は、温度検出手段で検出された温度が所定温度になった場合に、電動送風機の運転の停止および、電源供給手段によるホース手元操作部への電源の供給を停止させた後、所定温度で前記電源供給手段によって前記ホース手元操作部への電源の供給を開始するよう制御することを課題解決手段とし、電動送風機の急激な加熱を抑えることができ、電動送風機のブラシの耐久性を高めて寿命の低下を防止することを精度良く確実に行うことができると共に、ホース手元操作部への電源の供給を安価で確実に停止させることで、電動送風機停止時の待機電力を軽減することができる。
【００１２】
本発明の請求項４記載の発明は、温度検出手段で検出された温度が所定温度になった場合に、所定時間だけ電源供給手段によるホース手元操作部への電源の供給を停止するよう制御することを課題解決手段とし、電動送風機の急激な加熱を抑えることができ、電動送風機のブラシの耐久性を高めて寿命の低下を防止することを精度良く確実に行うことができると共に、ホース手元操作部への電源の供給を安価で確実に停止させることで、電動送風機停止時の待機電力を軽減することができる。
【００１３】
本発明の請求項５記載の発明は、電動送風機およびホース手元操作部への電源の供給を停止させていることを報知する表示手段を設けたことを課題解決手段とし、電動送風機の急激な加熱を抑えることができ、電動送風機のブラシの耐久性を高めて寿命の低下を防止することを精度良く確実に行うことができると共に、ホース手元操作部への電源の供給を安価で確実に停止させることで、電動送風機停止時の待機電力を軽減することができる。また、電動送風機の過度の温度上昇であることを報知して知らしめる。
【００１４】
本発明の請求項６記載の発明は、温度検出手段によって検出された温度によって電動送風機の運転が停止していない場合の通常の停止状態において、電源供給手段によるホース手元操作部への電源供給を、所定電圧だけ供給するよう制御することを課題解決手段とし、ホース手元操作部への電源の供給を安価で確実に供給することで、電動送風機停止時の待機電力を軽減すると共に、電源供給手段の発熱を軽減することができる。
【００１５】
【実施例】
（実施例１）
以下、本発明の第１の実施例を添付図１を用いて説明する。なお、従来例と同一部品については同一符号を付し、その説明を省略する。
【００１６】
図１において、８は電動送風機２およびその近傍の過度の温度上昇を検出する温度検出手段であり、９は手元操作部１０からのパワー設定信号に基づいて決定される位相量にて電動送風機２を駆動するための電動送風機駆動手段である。１１は手元操作部１０への電源電圧の供給を制御する電源供給手段であり、１２は手元操作部１０からのパワー設定信号に基づいて、電動送風機２の位相制御量を決定し、電動送風機駆動手段９を制御すると共に、電源供給手段１１の制御を行う制御手段である。
【００１７】
上記構成による作用は以下の通りである。
【００１８】
手元操作部１０からのパワー設定信号に基づき制御手段１２は電動送風機駆動手段９を設定信号にて決定される位相制御量にて駆動し、電動送風機２の運転を行う。また、電源供給手段１１は掃除機本体１へ交流電源が投入されると同時に制御手段１２により駆動し、手元操作部１０へ電源の供給を開始する。電動送風機２が運転されると吸引力が発生し、掃除機本体１内にゴミが吸引される。その際に、電動送風機２の運転による発熱を吸引された空気により冷却することで電動送風機２の温度の上昇を抑えている。この時、電動送風機２およびその近傍の温度上昇状態は温度検出手段８により、常に制御手段１２にてモニターされており、掃除機本体１内にゴミが蓄積され一定量以上になり電動送風機２の冷却風が減少した場合、或いは吸引経路の一部でゴミ詰まりが発生した場合、更には電動送風機２の冷却風が殆ど出ない密閉状態になった場合等による過度の温度上昇を温度検出手段８にて検出する。検出された温度が温度検出手段８で設定された所定温度になると、制御手段１２は電動送風機駆動手段９の駆動を停止させ、電動送風機２の運転を停止させると共に、電源供給手段１１をも停止させて手元操作部１０への電源電圧の供給を停止させる。
【００１９】
このようにして、電動送風機の過度の加熱を抑えることができ、電動送風機のブラシの耐久性を高めて寿命の低下を防止することを精度良く確実に行うことができると共に、ホース手元操作部への電源の供給を停止させることで、電動送風機停止時の待機電力を軽減することができる。
【００２０】
（実施例２）
次に本発明の第２の実施例について図２を用いて説明する。なお、第１の実施例と同一部分については同一符号を付し、その説明を省略する。
【００２１】
図２において、１１の電源供給手段を双方向性サイリスタを用いて構成したことであり、作用については第１の実施例と同一である。
【００２２】
尚、リレー、スイッチ等を用いても構成できることはいうまでもない。
【００２３】
（実施例３）
次に本発明の第３の実施例について図３を用いて説明する。なお、第１の実施例と同一機能を有するものは同一符号を付し、その説明を省略する。
【００２４】
図３において第１の実施例と同様、手元操作部１０からのパワー設定信号に基づき制御手段１２は電動送風機駆動手段９を設定信号にて決定される位相制御量にて駆動し、電動送風機２の運転を行う。また、電源供給手段１１は掃除機本体１へ交流電源が投入されると同時に制御手段１２により駆動し、手元操作部１０へ電源の供給を開始する。電動送風機２が運転されると吸引力が発生し、掃除機本体１内にゴミが吸引される。その際に、電動送風機２の運転による発熱を吸引された空気により冷却することで電動送風機２の温度の上昇を抑えている。この時、電動送風機２およびその近傍の温度上昇状態は温度検出手段８により、常に制御手段１２にてモニターされており、掃除機本体１内にゴミが蓄積され一定量以上になり電動送風機２の冷却風が減少した場合、或いは吸引経路の一部でゴミ詰まりが発生した場合、更には電動送風機２の冷却風が殆ど出ない密閉状態になった場合等による過度の温度上昇を温度検出手段８にて検出する。温度検出手段８が所定温度（ａ）を検出すると、制御手段１２は電動送風機駆動手段９の駆動を停止させ、電動送風機２の運転を停止させると共に、電源供給手段１１をも停止させて手元操作部１０への電源電圧の供給を停止させる。電動送風機２の停止後、自然冷却により所定温度（ｂ）を温度検出手段８が検出すると制御手段１２は電動送風機２は停止させたまま電源供給手段１１を駆動し、手元操作部１０へ電源を供給し、手元操作部１０からのパワー設定信号の待ち受け状態となる。
【００２５】
このようにして、電動送風機の過度の加熱を抑えることができ、電動送風機のブラシの耐久性を高めて寿命の低下を防止することを精度良く確実に行うことができると共に、ホース手元操作部への電源の供給を停止および開始することで使用性の向上が図れる。
【００２６】
（実施例４）
次に本発明の第４の実施例について図４を用いて説明する。なお、第１の実施例と同一機能を有するものは同一符号を付し、その説明を省略する。
【００２７】
図４において第１の実施例と同様、手元操作部１０からのパワー設定信号に基づき制御手段１２は電動送風機駆動手段９を設定信号にて決定される位相制御量にて駆動し、電動送風機２の運転を行う。また、電源供給手段１１は掃除機本体１へ交流電源が投入されると同時に制御手段１２により駆動し、手元操作部１０へ電源の供給を開始する。電動送風機２が運転されると吸引力が発生し、掃除機本体１内にゴミが吸引される。その際に、電動送風機２の運転による発熱を吸引された空気により冷却することで電動送風機２の温度の上昇を抑えている。この時、電動送風機２およびその近傍の温度上昇状態は温度検出手段８により、常に制御手段１２にてモニターされており、掃除機本体１内にゴミが蓄積され一定量以上になり電動送風機２の冷却風が減少した場合、或いは吸引経路の一部でゴミ詰まりが発生した場合、更には電動送風機２の冷却風が殆ど出ない密閉状態になった場合等による過度の温度上昇を温度検出手段８にて検出する。温度検出手段８が所定温度（ｃ）を検出すると、制御手段１２は電動送風機駆動手段９の駆動を停止させ、電動送風機２の運転を停止させると共に、電源供給手段１１をも停止させて手元操作部１０への電源電圧の供給を停止させる。制御手段１２は電源供給手段１１を停止後すぐにタイマーにてカウントし、所定時間（ｔ１）を計数すると電動送風機２は停止させたまま電源供給手段１１を駆動し、手元操作部１０への電源供給を開始し、手元操作部１０からのパワー設定信号の待ち受け状態となる。
【００２８】
このようにして、電動送風機の過度の加熱を抑えることができ、電動送風機のブラシの耐久性を高めて寿命の低下を防止することを精度良く確実に行うことができると共に、ホース手元操作部への電源の供給を停止および開始することで使用性の向上が図れる。
【００２９】
（実施例５）
次に本発明の第５の実施例について図５を用いて説明する。なお、第１の実施例と同一機能を有するものは同一符号を付し、その説明を省略する。
【００３０】
図５において、１３は温度検出手段８によって所定温度を検出した際に、電動送風機２および電源供給手段１１による手元操作部１０への電源供給を停止させていることを報知する表示手段である。
【００３１】
上記構成による作用は以下の通りである。
【００３２】
手元操作部１０からのパワー設定信号に基づき制御手段１２は電動送風機駆動手段９を設定信号にて決定される位相制御量にて駆動し、電動送風機２の運転を行う。また、電源供給手段１１は掃除機本体１へ交流電源が投入されると同時に制御手段１２により駆動し、手元操作部１０へ電源の供給を開始する。電動送風機２が運転されると吸引力が発生し、掃除機本体１内にゴミが吸引される。その際に、電動送風機２の運転による発熱を吸引された空気により冷却することで電動送風機２の温度の上昇を抑えている。この時、電動送風機２およびその近傍の温度上昇状態は温度検出手段８により、常に制御手段１２にてモニターされており、掃除機本体１内にゴミが蓄積され一定量以上になり電動送風機２の冷却風が減少した場合、或いは吸引経路の一部でゴミ詰まりが発生した場合、更には電動送風機２の冷却風が殆ど出ない密閉状態になった場合等による過度の温度上昇を温度検出手段８にて検出する。検出された温度が温度検出手段８で設定された所定温度になると、制御手段１２は電動送風機駆動手段９の駆動を停止させ、電動送風機２の運転を停止させると共に、電源供給手段１１をも停止させて手元操作部１０への電源電圧の供給を停止させる。同時に表示手段にて、電動送風機２の過度の温度上昇による停止である旨の表示を行うものである。
【００３３】
このようにして、電動送風機の過度の加熱を抑えることができ、電動送風機のブラシの耐久性を高めて寿命の低下を防止することを精度良く確実に行うことができると共に、ホース手元操作部への電源の供給を停止させることで、電動送風機停止時の待機電力を軽減すると共に、ユーザーに対して温度上昇を防止する状態にあることを知らしめ、使用性を確保する。
【００３４】
（実施例６）
次に本発明の第６の実施例について図６を用いて説明する。なお、第１の実施例と同一機能を有するものは同一符号を付し、その説明を省略する。
【００３５】
図６において第１の実施例と同様、電源供給手段１１は掃除機本体１へ交流電源が投入されると同時に制御手段１２により駆動し、手元操作部１０へ図６（ｄ）の全波で電源電圧の供給を開始する。また、温度検出手段８で所定温度を検出した場合には、電源供給手段１１を停止させて手元操作部１０への電源電圧の供給を停止させるが、電動送風機２の過度の温度上昇による停止以外の通常の停止状態においては（ｅ）のような半波電圧、もしくは手元操作部１０がパワー設定信号を制御手段１２へ出力できるレベルの電源電圧を手元操作部１０へ供給するよう制御するものである。
【００３６】
このようにして、電動送風機の過度の加熱を抑えることができ、電動送風機のブラシの耐久性を高めて寿命の低下を防止することを精度良く確実に行うことができると共に、ホース手元操作部への電源の供給を停止させることで、電動送風機停止時の待機電力を軽減すると共に、電源供給手段の発熱を軽減することができる。
【００３７】
【発明の効果】
本発明の請求項１および請求項２記載の発明によれば、電動送風機の急激な加熱を抑えることができ、電動送風機のブラシの耐久性を高めて寿命の低下を防止することができると共に、ホース手元操作部への電源の供給を停止させることで、電動送風機停止時の待機電力を軽減することができる。
【００３８】
本発明の請求項３および請求項４記載の発明によれば、電動送風機の急激な加熱を抑えることができ、電動送風機のブラシの耐久性を高めて寿命の低下を防止することを精度良く確実に行うことができると共に、ホース手元操作部への電源の供給を停止および開始することで使用性の向上が図れる。
【００３９】
本発明の請求項５記載の発明によれば、電動送風機の過度の加熱を抑えることができ、電動送風機のブラシの耐久性を高めて寿命の低下を防止することを精度良く確実に行うことができると共に、ホース手元操作部への電源の供給を停止させることで、電動送風機停止時の待機電力を軽減すると共に、ユーザーに対して温度上昇を防止する状態にあることを知らしめ、使用性を確保する。
【００４０】
本発明の請求項６記載の発明によれば、電動送風機の過度の加熱を抑えることができ、電動送風機のブラシの耐久性を高めて寿命の低下を防止することを精度良く確実に行うことができると共に、ホース手元操作部への電源の供給を停止させることで、電動送風機停止時の待機電力を軽減すると共に、電源供給手段の発熱を軽減することができる。
【図面の簡単な説明】
【図１】
本発明の第１の実施例における電気掃除機の回路ブロック図
【図２】
本発明の第２の実施例における電気掃除機の回路ブロック図
【図３】
本発明の第３の実施例における電気掃除機の温度検出手段出力温度℃と時間（ｔ）との特性図
【図４】
本発明の第４の実施例における電気掃除機の温度検出手段出力温度℃と時間（ｔ）との特性図
【図５】
本発明の第５の実施例における電気掃除機の回路ブロック図
【図６】
本発明の第６の実施例における電源供給手段の供給電圧を示す図
【図７】
従来の電気掃除機のシステムブロック図
【図８】
同電気掃除機の全体斜視図
【符号の説明】
１  掃除機本体
２  電動送風機
８  温度検出手段
９  電動送風機駆動手段
１０  手元操作部
１１  電源供給手段
１２  制御手段
１３  表示手段